(57)【要約】  本開示は、多元接続ワイヤレス通信の一部としてのトランスポートブロック通信に適用可能な方法およびシステムを説明する。この方法およびシステムは、第１の複数の非直交多元接続（ＮＯＭＡ）レイヤの第１順序を決定する（７０５）基地局（１２０）を備える。基地局（１２０）は、トランスポートブロックを搬送する第１の複数のＮＯＭＡレイヤをユーザ機器（１１０）から受信する（７１０）。基地局（１２０）は、決定した第１順序に従って第１の複数のＮＯＭＡレイヤを組み合わせて（７１５）、第１の複数のＮＯＭＡレイヤからトランスポートブロックを復号化できなかったと判断する（７２０）。次に、基地局（１２０）は、第２の複数のＮＯＭＡレイヤの第２順序を決定し（７２５）、トランスポートブロックを搬送する第２の複数のＮＯＭＡレイヤをユーザ機器（１１０）から受信する（７３０）。次に、基地局（１２０）は、第２順序に従って第２の複数のＮＯＭＡレイヤを組み合わせて第２の複数のＮＯＭＡレイヤからトランスポートブロックを復号化する（７３５）。
2021528880.tif 000002
【特許請求の範囲】
【請求項１】
基地局によって実行される方法であって、
前記基地局が、第１の複数の非直交多元接続レイヤの第１順序を決定するステップと、
前記基地局が、ユーザ機器からトランスポートブロックの送信を受信するステップとを含み、前記送信は、前記第１の複数の非直交多元接続レイヤを使用し、前記方法は、さらに、
前記基地局が、決定した前記第１順序に従って前記第１の複数の非直交多元接続レイヤを組み合わせるステップと、
前記基地局が、決定した前記第１順序に従って前記第１の複数の非直交多元接続レイヤを組み合わせるステップが前記第１の複数の非直交多元接続レイヤから前記トランスポートブロックを復号化できなかったと判断するステップと、
前記基地局が、第２の複数の非直交多元接続レイヤの第２順序を決定するステップと、
前記基地局が、前記ユーザ機器から前記トランスポートブロックの再送信を受信するステップとを含み、前記再送信は、前記第２の複数の非直交多元接続レイヤを使用し、前記方法は、さらに、
前記基地局が、決定した前記第２順序に従って前記第２の複数の非直交多元接続レイヤを組み合わせて前記第２の複数の非直交多元接続レイヤから前記トランスポートブロックを復号化するステップを含む、方法。
【請求項２】
前記第１の複数の非直交多元接続レイヤの第１順序を決定するステップは、ワイヤレス通信の仕様から前記第１順序を決定するステップを含む、請求項１に記載の方法。
【請求項３】
前記第１の複数の非直交多元接続レイヤの第１順序を決定するステップは、前記第１の複数の非直交多元接続レイヤを構成する時間リソースおよび周波数リソースの位置に基づいて前記第１順序を計算するステップを含む、請求項１に記載の方法。
【請求項４】
前記第２の複数の非直交多元接続レイヤの第２順序を決定するステップは、ワイヤレス通信の仕様から前記第２順序を決定するステップを含む、請求項１〜３のいずれか１項に記載の方法。
【請求項５】
前記第２の複数の非直交多元接続レイヤの第２順序を決定するステップは、前記第２の複数の非直交多元接続レイヤを構成する時間リソースおよび周波数リソースの位置に基づいて前記第２順序を計算することを含む、請求項１〜３のいずれか１項に記載の方法。
【請求項６】
前記基地局がブロードキャスト信号を用いて前記ユーザ機器に決定した前記第１順序を送信するステップをさらに含む、請求項１〜５のいずれか１項に記載の方法。
【請求項７】
前記ブロードキャスト信号は、決定した前記第１順序を、決定した前記第１順序を示すデータを含むシステム情報ブロックによって送信する、請求項６に記載の方法。
【請求項８】
前記基地局が専用の信号を用いて前記ユーザ機器に決定した前記第１順序を送信するステップをさらに含む、請求項１〜５のいずれか１項に記載の方法。
【請求項９】
前記専用の信号は、決定した前記第１順序を、決定した前記第１順序を示すデータを含む無線リソース制御メッセージを通して送信する、請求項８に記載の方法。
【請求項１０】
決定した前記第１順序に従って前記第１の複数の非直交多元接続レイヤを組み合わせるステップが前記第１の複数の非直交多元接続レイヤから前記トランスポートブロックを復号化できなかったと判断するステップに応答して、前記基地局が否定応答メッセージを送信するステップをさらに含む、請求項１〜９のいずれか１項に記載の方法。
【請求項１１】
ユーザ機器によって実行される方法であって、
前記ユーザ機器が、第１の複数の非直交多元接続レイヤの第１順序を決定するステップと、
前記ユーザ機器が、基地局にトランスポートブロックを送信するステップとを含み、前記送信するステップは、決定した前記第１順序に従う前記第１の複数の非直交多元接続レイヤを使用し、前記方法は、さらに、
前記ユーザ機器が、前記基地局が前記第１の複数の非直交多元接続レイヤから前記トランスポートブロックを復号化できなかったことを示す否定応答メッセージを前記基地局から受信するステップと、
前記否定応答メッセージを受信するステップに応答して、前記ユーザ機器が、第２の複数の非直交多元接続レイヤの第２順序を決定するステップと、
前記ユーザ機器が、前記基地局に前記トランスポートブロックを再送信するステップとを含み、前記再送信するステップは、決定した前記第２順序に従う前記第２の複数の非直交多元接続レイヤを使用する、方法。
【請求項１２】
前記第２の複数の多元接続レイヤの第２順序を決定するステップは、前記基地局から送信されるブロードキャスト信号によって前記ユーザ機器が受信するシステム情報ブロックに含まれるデータから前記第２順序を決定するステップを含む、請求項１１に記載の方法。
【請求項１３】
前記第１の複数の非直交多元接続レイヤの第１順序を決定するステップは、前記ユーザ機器が前記基地局から受信する無線リソース制御メッセージに含まれるデータから前記第１順序を決定するステップを含む、請求項１１または１２に記載の方法。
【請求項１４】
基地局であって、
プロセッサと、
ワイヤレストランシーバと、
トランスポートブロックマネージャを実装するための命令を含むコンピュータ読み取り可能な記憶媒体とを備え、前記トランスポートブロックマネージャは、
前記ワイヤレストランシーバを通してユーザ機器から、第１の複数の非直交多元接続レイヤによって搬送される第１のトランスポートブロックの送信と、第２の複数の非直交多元接続レイヤによって搬送される第２のトランスポートブロックの別の送信とを受信し、
第１順序に従って前記第１の複数の非直交多元接続レイヤを組み合わせて前記第１の複数の非直交多元接続レイヤから前記第１のトランスポートブロックを復号化し、
第２順序に従って前記第２の複数の非直交多元接続レイヤを組み合わせて前記第２の複数の非直交多元接続レイヤから前記第２のトランスポートブロックを復号化するよう、前記基地局に指示するように構成される、基地局。
【請求項１５】
前記トランスポートブロックマネージャは、
前記第１順序に従って前記第１の複数の非直交多元接続レイヤを組み合わせて前記第１の複数の非直交多元接続レイヤから前記第１のトランスポートブロックを復号化できなかったと判断し、これに応答して、前記ワイヤレストランシーバを通して前記ユーザ機器に否定応答メッセージを送信し、
前記第２順序に従って前記第２の複数の非直交多元接続レイヤを組み合わせて前記第２の複数の非直交多元接続レイヤから前記第２のトランスポートブロックを正常に復号化したと判断し、これに応答して、前記ワイヤレストランシーバを通して前記ユーザ機器に肯定応答メッセージを送信するよう、前記基地局を指示するようにさらに構成される、請求項１４に記載の基地局。
【発明の詳細な説明】
【技術分野】
【０００１】
背景
多元接続（Ｍｕｌｔｉｐｌｅ  Ａｃｃｅｓｓ：ＭＡ）ワイヤレス通信技術は、ワイヤレス通信ネットワークの重要な側面である。一般に、多元接続ワイヤレス通信技術によって、スマートフォンなど、２つ以上のユーザ機器（ＵＥ）デバイスが効率よく、かつ有効な方法でワイヤレス通信ネットワークのリソースを共有できるようになる。リソースとして、ワイヤレス通信ネットワークをサポートする基地局と通信中にＵＥデバイスが共有する時間、周波数、またはコードドメインにまたがる物理リソースブロックなどが挙げられる。
【背景技術】
【０００２】
今日、ワイヤレスネットワーク通信プロバイダは、５Ｇ  ＮＲ（Ｆｉｆｔｈ  Ｇｅｎｅｒａｔｉｏｎ  Ｎｅｗ  Ｒａｄｉｏ）ネットワークの一部として多元接続通信をサポートするための直交多元接続（ＯＭＡ：Ｏｒｔｈｏｇｏｎａｌ  Ｍｕｌｔｉｐｌｅ  Ａｃｃｅｓｓ）技術および非直交多元接続（ＮＯＭＡ：Ｎｏｎ−Ｏｒｔｈｏｇｏｎａｌ  Ｍｕｌｔｉｐｌｅ  Ａｃｃｅｓｓ）技術を実装している。これらの技術を用いて、ＵＥデバイスは、エアインターフェースのＭＡリソース、またはＯＭＡリソースもしくはＮＯＭＡリソースを共有する基地局にデータストリームを送信してもよい。基地局は、異なる多元接続シグネチャを介して、異なるＮＯＭＡリソースまたは異なるＮＯＭＡレイヤ上のデータストリームを受信して区別してもよい。異なる多元接続シグネチャは、拡散シーケンス、非直交系コード、電力プロファイルなどから構成されてもよい。
【０００３】
一般に、前述の技術は、どのように基地局およびＵＥの通信設定を整合させてトランスポートブロックの復号化を可能にするかについて曖昧である。この不明確さについては、ＯＭＡ技術およびＮＯＭＡ技術の両方を用いて実装される多元接続ワイヤレス通信についても同じであり、特定の状況において、基地局およびＵＥが利用可能なＯＭＡリソースおよびＮＯＭＡリソースの利用に影響を与え得る。
【発明の概要】
【課題を解決するための手段】
【０００４】
概要
本開示は、多元接続ワイヤレス通信の一部としてのトランスポートブロック通信に適用可能な方法およびシステムについて説明する。この方法およびシステムは、第１の複数のＮＯＭＡレイヤの第１順序を決定する基地局を備える。基地局は、トランスポートブロックを搬送する第１の複数のＮＯＭＡレイヤをＵＥから受信する。基地局は、決定した第１順序に従って第１の複数のＮＯＭＡレイヤを組み合わせて、第１の複数のＮＯＭＡレイヤからトランスポートブロックを復号化できなかったと判断する。次に、基地局は、第２の複数のＮＯＭＡレイヤの第２順序を決定し、トランスポートブロックを搬送する第２の複数のＮＯＭＡレイヤをＵＥから受信する。次に、基地局は、第２順序に従って第２の複数のＮＯＭＡレイヤを組み合わせて第２の複数のＮＯＭＡレイヤからトランスポートブロックを復号化する。
【０００５】
いくつかの態様では、基地局によって実行される方法を説明する。この方法は、基地局が、第１の複数のＮＯＭＡレイヤの第１順序を決定するステップと、基地局が、トランスポートブロックの送信をＵＥから受信するステップを含み、この送信は、第１の複数のＮＯＭＡレイヤを使用する。方法は、基地局が、決定した第１順序に従って第１の複数のＮＯＭＡレイヤを組み合わせるステップと、基地局が、決定した第１順序に従って第１の複数のＮＯＭＡレイヤを組み合わせて第１の複数のＮＯＭＡレイヤからトランスポートブロックを復号化できなかったと判断するステップを含む。次に、基地局は、第２の複数のＮＯＭＡレイヤの第２順序を決定する。当該方法は続いて、基地局は、トランスポートブロックの再送信をＵＥから受信する。ここで、トランスポートブロックの再送信は、第２の複数のＮＯＭＡレイヤを使用する。次に、基地局は、決定した第２順序に従って第２の複数のＮＯＭＡレイヤを組み合わせて、第２の複数のＮＯＭＡレイヤからトランスポートブロックを復号化する。
【０００６】
その他の態様では、ＵＥによって実行される別の方法を説明する。この方法は、ＵＥが、第１の複数の非直交多元接続レイヤの第１順序を決定するステップを含む。次に、ＵＥは、決定した第１順序に従う第１の複数の非直交多元接続レイヤを使用して、トランスポートブロックを基地局に送信する。当該方法は続いて、ＵＥは、第１の複数の非直交多元接続レイヤからトランスポートブロックを復号化できなかったことを示す否定応答（ＮＡＣＫ）メッセージを基地局から受信する。ＮＡＣＫメッセージを受信することに応答して、ＵＥは、第２の複数の非直交多元接続レイヤの第２順序を決定する。次に、ＵＥは、決定した第２順序に従う第２の複数の非直交多元接続レイヤを使用して、基地局にトランスポートブロックを再送信する。
【０００７】
さらに別の態様では、基地局を説明する。基地局は、プロセッサと、ワイヤレストランシーバと、トランスポートブロックマネージャを実装するための命令を含むコンピュータ読み取り可能な記憶媒体とを備える。トランスポートブロックマネージャは、第１の複数のＮＯＭＡレイヤによって搬送される第１のトランスポートブロックの送信、および第２の複数のＮＯＭＡレイヤによって搬送される第２のトランスポートブロックの別の送信を受信するよう、基地局に指示するように構成される。また、トランスポートブロックマネージャは、第１順序に従って第１の複数のＮＯＭＡレイヤを組み合わせて第１の複数のＮＯＭＡレイヤから第１のトランスポートブロックを復号化し、第２順序に従って第２の複数のＮＯＭＡレイヤを組み合わせて第２の複数のＮＯＭＡレイヤから第２のトランスポートブロックを復号化するよう、基地局に指示する。
【０００８】
開示の態様は、基地局およびＵＥの通信設定を整合させてトランスポートブロックの復号化を可能にして、基地局およびＵＥが利用可能なＯＭＡリソースおよびＮＯＭＡリソースの利用効率を向上させる。記載の方法およびシステムは、基礎となる互いに関連する技術の組合せにも対応する。さらには、ＮＯＭＡ技術を用いてトランスポートブロックを伝達する観点で方法およびシステムを説明するが、説明の態様は、限定されず、ＯＭＡ技術にも適用できる。１つ以上の実装形態の詳細を、添付の図面および以下の説明において説明する。その他の特徴および利点は、本明細書および図面から、ならびに添付の請求の範囲から明らかになるであろう。
【０００９】
本明細書は、多元接続ワイヤレス通信の一部としてのトランスポートブロック通信の１つ以上の態様の詳細を説明する。説明および図面において、異なる具体例での同じ参照番号の使用は、同様の要素を示す。
【図面の簡単な説明】
【００１０】
【図１】多元接続ワイヤレス通信の一部としての様々な態様のトランスポートブロック通信が実現され得る動作環境の例を示す図である。
【図２】多元接続ワイヤレス通信の一部としての様々な態様のトランスポートブロック通信をサポートするユーザ機器および基地局の詳細の例を示す図である。
【図３】ＵＥと基地局との間に広がる、多元接続ワイヤレス通信の一部としての様々な態様のトランスポートブロック通信が実現され得るエアインターフェースリソースの詳細の例を示す図である。
【図４】多元接続ワイヤレス通信の一部としてのトランスポートブロック通信の詳細な態様の例を示す図である。
【図５】多元接続ワイヤレス通信の一部としての様々な態様のトランスポートブロック通信に従って基地局によって実行される方法の例を示す図である。
【図６】多元接続ワイヤレス通信の一部としての様々な態様のトランスポートブロック通信に従ってＵＥによって実行される方法の例を示す図である。
【図７】多元接続ワイヤレス通信の一部としての様々な態様のトランスポートブロック通信に従う、基地局とＵＥとの間の信号および制御トランザクションの図の第１例を示す図である。
【図８】多元接続ワイヤレス通信の一部としての様々な態様のトランスポートブロック通信に従う、基地局とＵＥとの間の信号および制御トランザクションの図の第２例を示す図である。
【発明を実施するための形態】
【００１１】
詳細な説明
多元接続ワイヤレス通信の一部としてのトランスポートブロック通信のための記載のシステムおよび方法の特徴および概念は、あらゆる環境、システム、デバイス、および／または様々な構成で実現できるが、多元接続ワイヤレス通信の一部としてのトランスポートブロック通信の態様を、下記のデバイス、システム、および構成の例を背景に説明する。
【００１２】
動作環境
図１は、多元接続ワイヤレス通信の一部としての様々な態様のトランスポートブロック通信が実現される例示的な動作環境１００を示す図である。例示的な環境１００は、ＵＥ１１１、ＵＥ１１２、およびＵＥ１１３として示されている複数のユーザ機器１１０（ＵＥ１１０）を含む。各ＵＥ１１０は、ワイヤレスリンク１３１および１３２として示されているワイヤレス通信リンク１３０（ワイヤレスリンク１３０）を通じて基地局１２０（基地局１２１、１２２、１２３、および１２４として示されている）と通信することができる。分かりやすくするためにＵＥ１１０はスマートフォンとして実装されているが、モバイル通信装置、モデム、携帯電話、ゲーム機、ナビゲーション装置、メディアデバイス、ラップトップコンピュータ、デスクトップコンピュータ、タブレットコンピュータ、スマート家電、車載通信システムなど、任意の適切なコンピューティングデバイスもしくは電子機器、またはセンサーもしくはアクチュエータなどのＩｏＴ（Ｉｎｔｅｒｎｅｔ−ｏｆ−Ｔｈｉｎｇｓ）デバイスとして実現されてもよい。基地局１２０（たとえば、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  Ｎｏｄｅ  Ｂ、Ｅ−ＵＴＲＡＮ  Ｎｏｄｅ  Ｂ、ｅｖｏｌｖｅｄ  Ｎｏｄｅ  Ｂ、ｅＮｏｄｅＢ、ｅＮＢ、Ｎｅｘｔ  Ｇｅｎｅｒａｔｉｏｎ  Ｎｏｄｅ  Ｂ、ｇＮｏｄｅ  Ｂ、ｇＮＢなど）は、マクロセル、マイクロセル、スモールセル、ピコセルなど、または、それらの任意の組合せで実現されてもよい。
【００１３】
基地局１２０は、ワイヤレスリンク１３１および１３２を使用してＵＥ１１０と通信を行う。ワイヤレスリンク１３１および１３２は、任意の適切な種類のワイヤレスリンクとして実現されてもよい。基地局１２０からＵＥ１１０に伝達される下りリンクのデータおよび制御情報、ＵＥ１１０から基地局１２０に伝達される上りリンクのその他のデータおよび制御情報、またはその両方など、ワイヤレスリンク１３１および１３２は、制御およびデータ通信（ｃｏｎｔｒｏｌ  ａｎｄ  ｄａｔａ  ｃｏｍｍｕｎｉｃａｔｉｏｎ）を含む。ワイヤレスリンク１３０は、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ−Ｔｅｒｍ  Ｅｖｏｌｕｔｉｏｎ）、５Ｇ  ＮＲ（Ｆｉｆｔｈ  Ｇｅｎｅｒａｔｉｏｎ  Ｎｅｗ  Ｒａｄｉｏ）など、任意の適切な通信プロトコルもしくは通信規格、または通信プロトコルもしくは通信規格の組合せを利用して実現される１つ以上のワイヤレスリンク（たとえば、無線リンク）またはベアラを含んでもよい。複数のワイヤレスリンク１３０を１つのキャリアアグリゲーションに束ねて、ＵＥ１１０のデータ転送速度を速くしてもよい。複数の基地局１２０からの複数のワイヤレスリンク１３０は、ＵＥ１１０とのＣｏＭＰ（Ｃｏｏｒｄｉｎａｔｅｄ  Ｍｕｌｔｉｐｏｉｎｔ）通信用に構成されてもよい。
【００１４】
基地局１２０は、まとめて、無線アクセスネットワーク１４０である（たとえば、ＲＡＮ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、Ｅ−ＵＴＲＡＮ、５Ｇ  ＮＲＲＡＮ、またはＮＲ  ＲＡＮ）。ＲＡＮ１４０は、ＮＲ  ＲＡＮ１４１およびＥ−ＵＴＲＡＮ１４２として示されている。ＮＲ  ＲＡＮ１４１の基地局１２１および１２３は、５ＧＣ１５０（Ｆｉｆｔｈ  Ｇｅｎｅｒａｔｉｏｎ  Ｃｏｒｅ  １５０）ネットワークに接続される。Ｅ−ＵＴＲＡＮ１４２の基地局１２２および１２４は、ＥＰＣ１６０（Ｅｖｏｌｖｅｄ  Ｐａｃｋｅｔ  Ｃｏｒｅ１６０）に接続される。任意で、またはこれに加えて、基地局１２２は、５ＧＣ１５０ネットワークおよびＥＰＣ１６０ネットワークの両方に接続してもよい。
【００１５】
基地局１２１および１２３は、１０２および１０４においてそれぞれ、制御プレーン信号用にＮＧ２インターフェースを通して５ＧＣ１５０に接続し、ユーザプレーンデータ通信用にＮＧ３インターフェースを使う。基地局１２２および１２４は、１０６および１０８においてそれぞれ、制御プレーン信号用およびユーザプレーンデータ通信用にＳ１インターフェースを用いてＥＰＣ１６０に接続する。任意で、またはこれに加えて、基地局１２２が５ＧＣ１５０ネットワークおよびＥＰＣ１６０ネットワークに接続した場合、基地局１２２は、制御プレーン信号用にＮＧ２インターフェースを使って、かつ、ユーザプレーンデータ通信用にＮＧ３インターフェースを通して、１８０において５ＧＣ１５０に接続する。
【００１６】
コアネットワークへの接続に加えて、基地局１２０は、互いに通信を行ってもよい。たとえば、基地局１２１と１２３とは、Ｘｎインターフェースを通して１０３において通信し、基地局１２２と１２３とは、Ｘｎインターフェースを通して１０５において通信し、基地局１２２と１２４とは、Ｘ２インターフェースを通して１０７において通信する。
【００１７】
５ＧＣ１５０は、ＡＭＦ１５２（Ａｃｃｅｓｓ  ａｎｄ  Ｍｏｂｉｌｉｔｙ  Ｍａｎａｇｅｍｅｎｔ  Ｆｕｎｃｔｉｏｎ１５２）を含む。ＡＭＦ１５２は、５Ｇ  ＮＲネットワークにおける複数のＵＥ１１０の登録および認証、認可、ならびにモビリティ管理など、制御プレーン機能を提供する。ＥＰＣ１６０は、ＭＭＥ１６２（Ｍｏｂｉｌｉｔｙ  Ｍａｎａｇｅｍｅｎｔ  Ｅｎｔｉｔｙ１６２）を含む。ＭＭＥ１６２は、Ｅ−ＵＴＲＡネットワークにおける複数のＵＥ１１０の登録および認証、認可、またはモビリティ管理など、制御プレーン機能を提供する。ＡＭＦ１５２およびＭＭＥ１６２は、ＲＡＮ１４０で基地局１２０と通信を行い、複数のＵＥ１１０とも通信を行う。
【００１８】
ＵＥ１１０と基地局１２０との間でトランスポートブロック通信が生じ得る動作環境１００内で、ＵＥ１１０は、ワイヤレスリンク１３０を使って基地局トランスポートブロックマネージャ２６６に非直交多元接続レイヤ（たとえば、ＮＯＭＡレイヤ）を送信してもよい。ＵＥ１１０および基地局１２０は、詳細は後述するが、多元接続ワイヤレス通信の一部としてのトランスポートブロック通信を対象とする補足法を実行してもよい。このような補足法は、基地局１２０とＵＥ１１０の通信設定を整合させて、トランスポートブロックの復号化を可能にすることができる。
【００１９】
システム例
図２は、多元接続ワイヤレス通信の一部としての様々な態様のトランスポートブロック通信をサポートするユーザ機器および基地局の例示的な詳細２００を示す図である。ＵＥ１１０および基地局１２０は、明確にするために図２では省略されている追加機能および追加インターフェースを含んでもよい。ＵＥ１１０は、アンテナ２０２と、無線周波数フロントエンド２０４（ＲＦフロントエンド２０４）と、ＬＴＥトランシーバ２０６と、５Ｇ  ＲＡＮ１４１および／またはＥ−ＵＴＲＡＮ１４２で基地局１２０と通信を行うための５Ｇ  ＮＲトランシーバ２０８とを備える。ＵＥ１１０のＲＦフロントエンド２０４は、ＬＴＥトランシーバ２０６および５Ｇ  ＮＲトランシーバ２０８をアンテナ２０２に連結または接続させて、様々な種類のワイヤレス通信を容易にすることができる。ＵＥ１１０アンテナ２０２は、同様または異なって構成された複数のアンテナのアレイを含んでもよい。アンテナ２０２およびＲＦフロントエンド２０４は、３ＧＰＰ  ＬＴＥ通信規格および５Ｇ  ＮＲ通信規格によって規定されるとともに、ＬＴＥトランシーバ２０６ならびに／または５Ｇ  ＮＲトランシーバ２０８によって実装された、１つ以上の周波数帯域に周波数を合わせることができるおよび／または当該１つ以上の周波数帯域に合わせて周波数を変えることができる。これに加えて、アンテナ２０２、ＲＦフロントエンド２０４、ＬＴＥトランシーバ２０６および／または５Ｇ  ＮＲトランシーバ２０８は、基地局１２０との通信の送受信のためのビームフォーミングをサポートするように構成されてもよい。一例として、３ＧＰＰ  ＬＴＥ通信規格および５Ｇ  ＮＲ通信規格によって規定されるサブギガヘルツ帯、サブ６ＧＨＺ帯、および／または６ＧＨＺよりも大きいＧＨＺ帯での動作のためにアンテナ２０２およびＲＦフロントエンド２０４を実装することができるが、これらに限定されない。
【００２０】
また、ＵＥ１１０は、プロセッサ（複数可）２１０と、コンピュータ読み取り可能な記憶媒体２１２（ＣＲＭ２１２）とを備える。プロセッサ２１０は、シリコン、ポリシリコン、ｈｉｇｈ−Ｋ誘電体、銅など、様々な材料から構成されるシングルコアプロセッサまたはマルチコアプロセッサであってもよい。本明細書に記載のコンピュータ読み取り可能な記憶媒体は、信号の伝播を含まない。ＣＲＭ２１２は、ＲＡＭ（Ｒａｎｄｏｍ−Ａｃｃｅｓｓ  Ｍｅｍｏｒｙ）、ＳＲＡＭ（ｓｔａｔｉｃＲＡＭ）、ＤＲＡＭ（ｄｙｎａｍｉｃＲＡＭ）、ＮＶＲＡＭ（ｎｏｎ−ｖｏｌａｔｉｌｅＲＡＭ）、ＲＯＭ（Ｒｅａｄ−Ｏｎｌｙ  Ｍｅｍｏｒｙ）、またはフラッシュメモリなど、ＵＥ１１０のデバイスデータ２１４を格納するために使用できる任意の適切なメモリまたは記憶装置を含んでもよい。デバイスデータ２１４は、ユーザプレーン通信、制御プレーン信号、およびＵＥ１１０とのユーザインタラクションを可能にするためにプロセッサ（複数可）２１０によって実行可能なユーザデータ、マルチメディアデータ、ビームフォーミングコードブック、アプリケーション、および／または、ＵＥ１１０のオペレーティングシステムを含む。
【００２１】
また、ＣＲＭ２１２は、実行可能な命令を有するユーザ機器トランスポートブロックマネージャ２１６（たとえば、ＵＥ  ＴＢマネージャ２１６）を含む。あるいは、またはこれに加えて、ＵＥトランスポートブロックマネージャ２１６の全体または一部は、ＵＥ１１０のその他の構成要素と一体化されたまたは別個のハードウェアロジックまたは回路として実装されてもよい。少なくともいくつかの態様において、ＵＥトランスポートブロックマネージャ２１６（たとえば、ＵＥトランスポートブロックマネージャ２１６の実行可能な命令）は、多元接続ワイヤレス通信の一部としてのトランスポートブロック通信に関連する、ＵＥ１１０によって実行される技術を実装するようにＲＦフロントエンド２０４、ＬＴＥトランシーバ２０６、および／または５Ｇ  ＮＲトランシーバ２０８を構成する。
【００２２】
図２に示す基地局１２０のデバイス図は、１つのネットワークノード（たとえば、ｇＮｏｄｅ  Ｂ）を含む。基地局１２０の機能は、複数のネットワークノードまたはデバイス間で分散されてもよく、本明細書に記載の機能を実行するのに適した方法で分散されてもよい。基地局１２０は、アンテナ２５２と、無線周波数フロントエンド２５４（ＲＦフロントエンド２５４）と、ＵＥ１１０と通信するための、１つ以上のＬＴＥトランシーバ２５６および／または１つ以上の５Ｇ  ＮＲトランシーバ２５８とを備える。基地局１２０のＲＦフロントエンド２５４は、ＬＴＥトランシーバ２５６および５Ｇ  ＮＲトランシーバ２５８をアンテナ２５２に連結または接続させて、様々な種類のワイヤレス通信を容易にすることができる。基地局１２０のアンテナ２５２は、同様または異なって構成された複数のアンテナのアレイを含んでもよい。アンテナ２５２およびＲＦフロントエンド２５４は、３ＧＰＰ  ＬＴＥおよび５Ｇ  ＮＲ通信規格によって規定されてＬＴＥトランシーバ２５６および／または５Ｇ  ＮＲトランシーバ２５８によって実装される１つ以上の周波数帯域に周波数を合わせることができるおよび／または当該１つ以上の周波数帯域に合わせて周波数を変えることができる。これに加えて、アンテナ２５２、ＲＦフロントエンド２５４、ＬＴＥトランシーバ２５６、および／または５Ｇ  ＮＲトランシーバ２５８は、ＵＥ１１０との通信の送受信について、Ｍａｓｓｉｖｅ−ＭＩＭＯなど、ビームフォーミングをサポートするように構成されてもよい。
【００２３】
また、基地局１２０は、プロセッサ（複数可）２６０と、コンピュータ読み取り可能な記憶媒体２６２（ＣＲＭ２６２）とを備える。プロセッサ２６０は、シリコン、ポリシリコン、ｈｉｇｈ−Ｋ誘電体、銅など、様々な材料から構成されるシングルコアプロセッサまたはマルチコアプロセッサであってもよい。ＣＲＭ２６２は、ＲＡＭ（Ｒａｎｄｏｍ−Ａｃｃｅｓｓ  Ｍｅｍｏｒｙ）、ＳＲＡＭ（ｓｔａｔｉｃＲＡＭ）、ＤＲＡＭ（ｄｙｎａｍｉｃＲＡＭ）、ＮＶＲＡＭ（ｎｏｎ−ｖｏｌａｔｉｌｅＲＡＭ）、ＲＯＭ（Ｒｅａｄ−Ｏｎｌｙ  Ｍｅｍｏｒｙ）、またはフラッシュメモリなど、基地局トランスポートブロックマネージャ２６６のデバイスデータ２６４を格納するために使える任意の適切なメモリまたは記憶装置を含んでもよい。デバイスデータ２６４は、ＵＥ１１０との通信を可能にするためにプロセッサ（複数可）２６０によって実行可能なネットワークスケジューリングデータ、無線リソース管理データ、ビームフォーミングコードブック、アプリケーション、および／または基地局１２０のオペレーティングシステムを含む。
【００２４】
また、ＣＲＭ２６２は、実行可能な命令を有する基地局トランスポートブロックマネージャ２６６（たとえば、ＢＳ  ＴＢマネージャ２６６）を含んでもよい。あるいは、またはこれに加えて、基地局トランスポートブロックマネージャ２６６の全体または一部は、基地局１２０のその他の構成要素と一体化されたまたは別個のハードウェアロジックまたは回路として実装されてもよい。
【００２５】
少なくともいくつかの態様において、基地局トランスポートブロックマネージャ２６６の命令は、プロセッサ（複数可）２６０によって実行された場合、本明細書に記載するような多元接続ワイヤレス通信の一部としてのトランスポートブロック通信に関連する、基地局１２０によって実行される技術を実装するようにＲＦフロントエンド２５４、ＬＴＥトランシーバ２５６、および／または５Ｇ  ＮＲトランシーバ２５８を構成する。基地局１２０によって実行されるこのような技術として、基地局１２０が複数のＮＯＭＡレイヤの順序を決定すること、決定した順序に従って複数のＮＯＭＡレイヤを組み合わせること、決定した順序に従って複数のＮＯＭＡレイヤからトランスポートブロックが正常に復号化されたか復号化に失敗したかを判断すること、などがある。
【００２６】
基地局１２０は、第１の複数のＮＯＭＡレイヤによって搬送される第１のトランスポートブロックおよび第２の複数のＮＯＭＡレイヤによって搬送される第２のトランスポートブロックなど、複数のトランスポートブロックおよび多くの複数のＮＯＭＡレイヤ間でこのような技術を適用することができる。このような場合、基地局１２０は、複数のトランスポートブロックを送信するＵＥ１１０と通信を行って、復号化の成功（たとえば、第１順序に従って第１のトランスポートブロックを正常に復号化できた場合、ＵＥ１１０にＡＣＫメッセージを送信する）と、復号化の失敗（たとえば、第２順序に従って第２のトランスポートブロックを復号化できなかった場合、ＵＥ１１０にＮＡＣＫメッセージを送信する）との組合せなど、復号化の様々な状態を知らせてもよい。
【００２７】
基地局１２０は、Ｘｎインターフェースおよび／またはＸ２インターフェースなど、基地局間インターフェース２６８を含み、基地局１２０のＵＥ１１０との通信を管理する。基地局間インターフェース２６８は、別の基地局１２０との間でユーザプレーンデータおよび制御プレーンデータをやり取りするように構成可能である。基地局１２０は、ユーザプレーンデータおよび制御プレーンデータをコアネットワーク機能およびエンティティとやり取りするように基地局１２０が構成するコアネットワークインターフェース２７０を含む。
【００２８】
図３は、ＵＥと基地局との間に広がる、多元接続ワイヤレス通信の一部としての様々な態様のトランスポートブロック通信が実現され得るエアインターフェースリソース３０２の例示的な詳細３００を示す図である。一般に、エアインターフェースリソース３０２は、本明細書に記載のＮＯＭＡレイヤによって使われるリソースを提供する。
【００２９】
エアインターフェースリソース３０２を複数のリソースユニット３０４に分けることができる。リソースユニット３０４の各々は、周波数スペクトルと経過時間とが交わる箇所を占める。エアインターフェースリソース３０２の一部を、例示的なリソースブロック３１１、３１２、３１３、３１４を含む複数のリソースブロック３１０を有するグリッドまたは行列で示している。そのため、リソースユニット３０４の例は、少なくとも１つのリソースブロック３１０を含む。図に示すように、時間が横座標軸として横方向に沿って示され、周波数が縦座標軸として縦方向に沿って示されている。エアインターフェースリソース３０２は、所与の通信プロトコルまたは通信規格によって規定されるように、指定された任意の適切な周波数帯域にまたがってもよく、および／または指定された任意の期間に含まれる複数の間隔に分けられてもよい。時間の増加量は、たとえば、ミリ秒（ｍＳｅｃ）に相当し得る。周波数の増加量は、たとえば、メガヘルツ（ＭＨｚ）に相当し得る。
【００３０】
動作例では一般に、基地局１２０は、上りリンク通信および下りリンク通信にエアインターフェースリソース３０２の一部（たとえば、リソースユニット３０４）を割り当てる。ネットワークアクセスリソースの各リソースブロック３１０を割り当てて、複数のＵＥ１１０のそれぞれのワイヤレス通信リンク１３０をサポートしてもよい。グリッドの左下隅では、リソースブロック３１１は、所与の通信プロトコルによって規定されるように、指定された周波数帯域３０６にまたがってもよく、複数のサブキャリアまたは周波数サブ帯域を含んでもよい。リソースブロック３１１は、指定された周波数帯域３０６（たとえば、１８０ｋＨｚ）の各部（たとえば、１５ｋＨｚ）に各々が対応する任意の適切な数のサブキャリア（たとえば、１２）を含んでもよい。また、リソースブロック３１１も、当該所与の通信プロトコルによって規定されるように、指定された時間間隔３０８または時間枠（たとえば、およそ０．５ミリ秒または７つのＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）シンボル分の長さ）にまたがってもよい。時間間隔３０８は、ＯＦＤＭシンボルなど、１つのシンボルに各々が対応し得るサブ間隔を含む。
【００３１】
図３に示すように、各リソースブロック３１０は、周波数帯域３０６のサブキャリアおよび時間間隔３０８のサブ間隔（またはシンボル）に対応するまたは当該サブキャリアおよびサブ間隔によって規定される複数のリソース要素３２０（Ｒｅｓｏｕｒｃｅ  Ｅｌｅｍｅｎｔ：ＲＥ）を含んでもよい。あるいは、所与のリソース要素３２０は、１つよりも多い数の周波数サブキャリアまたはシンボルにまたがってもよい。よって、リソースユニット３０４は、少なくとも１つのリソースブロック３１０、少なくとも１つのリソース要素３２０などを含んでもよい。例示的な実施態様では、ＵＥ１１０は、エアインターフェースリソース３０２の一部によって与えられるアクセスを通して基地局１２０と通信を行っている。
【００３２】
基地局１２０（たとえば、基地局トランスポートブロックマネージャ２６６の命令を実行するプロセッサ（複数可）２６０）は、１つ以上のリソース要素３２０または個々のサブキャリアをＵＥ１１０に割り当ててもよい。１つ以上のリソース要素３２０または個々のサブキャリアのＵＥ１１０への割り当ての一部として、基地局１２０は、割り当てられた１つ以上のリソース要素または割り当てられた個々のサブキャリアを複数のＮＯＭＡレイヤとして識別する動作を実行してもよい。
【００３３】
図４は、多元接続ワイヤレス通信の一部としてのトランスポートブロック通信の例示的な詳細な態様４００を示す図である。図に示すように、ＵＥ１１０は、ワイヤレスリンク１３０を使って基地局１２０にマルチブランチデータストリーム４１０を送信している。この例では、マルチブランチデータストリーム４１０は、図３のエアインターフェースリソース３０２のリソースブロック３１０からの複数のＮＯＭＡレイヤ（たとえば、ＮＯＭＡレイヤ４１１、４１２、および４１３）を含む。各ＮＯＭＡレイヤ４１１〜４１３は、トランスポートブロックのデータのそれぞれ一部を搬送する。
【００３４】
ＮＯＭＡレイヤ４１１〜４１３は、共通の周波数ドメインおよび時間ドメインにまたがる対応する物理リソース（たとえば、リソースブロック３１０およびリソース要素（複数可）３２０）を共有するが、ＮＯＭＡレイヤ４１１〜４１３（および、レイヤ内の対応するデータ）は、多元接続（ＭＡ）シグネチャ（複数可）４２０によって区別可能である。ＵＥ１１０（たとえば、ＵＥリソースマネージャ２１６の命令を実行するプロセッサ２１０）は、ＭＡシグネチャ４２０（たとえば、ＭＡシグネチャ４２１〜４２３）を各ＮＯＭＡレイヤ（たとえば、ＮＯＭＡレイヤ４１１〜４１３）に対応付けるためのマルチブランチデータストリーム４１０を送信しながら、複数の動作を実行してもよい。このような動作として、前方誤り訂正および復号化４３０と、ビットレベルのインターリーブおよびスクランブル４３２と、ビットからシンボルへのマッピング４３４と、シンボルストリームの生成４３６と、電力調整４３８と、シンボルからリソース要素へのマッピング４４０などが挙げられる。ＮＯＭＡレイヤ４１１〜４１３それぞれに対応付けられた、結果として得られるＭＡシグネチャ４２１〜４２３として、直交符号、拡散符号、または送信電力などが挙げられる。
【００３５】
方法例
トランスポートブロック通信の１つ以上の態様に係る、例示的な方法５００および６００を図５および図６を参照して説明する。一般に、本明細書に記載の構成要素、モジュール、方法、および動作のいずれも、ソフトウェア、ファームウェア、ハードウェア（たとえば、固定論理回路）、手動処理、または、それらの任意の組合せで実現することができる。方法例のいくつか動作を、コンピュータ処理システムにローカルおよび／またはリモートのコンピュータ読み取り可能な記憶メモリに格納された実行可能な命令の一般的な文脈で説明する場合があり、実施態様は、ソフトウェアアプリケーション、プログラム、関数などを含み得る。あるいは、またはこれに加えて、本明細書に記載のいずれの機能も、少なくともその一部を、ＦＰＧＡ（Ｆｉｅｌｄ−ｐｒｏｇｒａｍｍａｂｌｅ  Ｇａｔｅ  Ａｒｒａｙ）、ＡＳＩＣ（Ａｐｐｌｉｃａｔｉｏｎ−ｓｐｅｃｉｆｉｃ  Ｉｎｔｅｇｒａｔｅｄ  Ｃｉｒｃｕｉｔ）、ＡＳＳＰ（Ａｐｐｌｉｃａｔｉｏｎ−Ｓｐｅｃｉｆｉｃ  Ｓｔａｎｄａｒｄ  Ｐｒｏｄｕｃｔ）、ＳｏＣ（Ｓｙｓｔｅｍ−ｏｎ−ａ−ｃｈｉｐ  ｓｙｓｔｅｍ）、ＣＰＬＤ（Ｃｏｍｐｌｅｘ  Ｐｒｏｇｒａｍｍａｂｌｅ  Ｌｏｇｉｃ  Ｄｅｖｉｃｅｓ）など、１つ以上のハードウェア論理コンポーネントによって実行することができるが、これらに限定されない。
【００３６】
図５は、多元接続ワイヤレス通信の一部としての様々な態様のトランスポートブロック通信に従って基地局によって実行される例示的な方法５００を示す図である。方法５００を、実行され得る動作を指定するブロック５０２〜５１４のセットで説明する。しかしながら、動作は、別の順序、完全にまたは一部が重複した状態、または繰り返して実施されてもよいため、これらの動作の順序は、図５に示す順序または本明細書に記載の順序に必ずしも限られない。方法５００によって表される動作は、たとえば、図１の基地局１２０によって実行されてもよく、図２〜図４の要素を用いて実行されてもよい。
【００３７】
ブロック５０２において、基地局（たとえば、基地局トランスポートブロックマネージャ２６６のコードを実行する基地局１２０のプロセッサ２６０）は、第１の複数のＮＯＭＡレイヤ（たとえば、図４のＮＯＭＡレイヤ４１１〜４１３）の第１順序（たとえば、シーケンス）を決定する。いくつかの場合、基地局は、ワイヤレス通信の仕様から第１の複数のＮＯＭＡレイヤの第１順序を決定する。その他の場合、基地局は、第１の複数のＮＯＭＡレイヤに含まれる時間リソースおよび周波数リソース（たとえば、図３のエアインターフェースリソース３０２の時間リソースおよび周波数リソース）の位置に基づいて第１順序を計算することによって、第１の複数のＮＯＭＡレイヤの第１順序を決定する。この計算は、時間リソースおよび周波数リソースの位置についての１つ以上のパラメータを含む数学関数に依拠し得る。
【００３８】
ブロック５０４において、基地局は、トランスポートブロックの送信をユーザ機器（たとえば、ＵＥ１１０）から受信する。この送信では、第１の複数のＮＯＭＡレイヤを使ってトランスポートブロックが搬送される（たとえば、トランスポートブロックに含まれるビットレベルのデータが第１の複数のＮＯＭＡレイヤの異なるレイヤ間で分散される）。
【００３９】
ブロック５０６において、基地局（たとえば、基地局トランスポートブロックマネージャ２６６のコードを実行する基地局１２０のプロセッサ２６０）は、決定した第１順序に従って第１の複数のＮＯＭＡレイヤを組み合わせる。ブロック５０８において、基地局は、決定した第１順序に従って第１の複数のＮＯＭＡレイヤを組み合わせて第１の複数のＮＯＭＡレイヤからトランスポートブロックを復号化できなかった、と判断する（たとえば、基地局は、第１の複数のＮＯＭＡレイヤに含まれるビットレベルのデータを順当に集約できない）。
【００４０】
方法を引き続き参照すると、ブロック５１０において、基地局は、第２の複数のＮＯＭＡレイヤの第２順序を決定する。第２の複数のＮＯＭＡレイヤの第２順序を決定することは、ブロック５０２の一部として上述したような１つ以上の技術を含んでもよい（たとえば、ワイヤレス通信の仕様から第２順序を決定することを対象とする技術、および／または第２の複数のＮＯＭＡレイヤに含まれるリソースの時間位置および周波数位置に基づいて第２順序を計算することを対象とする技術）。第２の複数のＮＯＭＡレイヤは、一般に、異なる時間位置および周波数位置を有する第１の複数のＮＯＭＡレイヤとは異なるリソースを使う。
【００４１】
ブロック５１２において、基地局は、トランスポートブロックの再送信をＵＥから受信する。この再送信では、送信された第１の複数のＮＯＭＡレイヤとは異なる時間間隔で再送信された第２の複数のＮＯＭＡレイヤを使ってトランスポートブロックが搬送される。ブロック５１４において、基地局は、決定した第２順序に従って第２の複数のＮＯＭＡレイヤを組み合わせて第２の複数のＮＯＭＡレイヤからトランスポートブロックを復号化する。
【００４２】
特定の状況では、方法５００を、追加の動作または別の動作を含むように変更してもよい。追加の動作または別の動作の第１例として、方法５００は、第１の複数のＮＯＭＡレイヤの決定した第１順序（および／または第２の複数のＮＯＭＡレイヤの第２順序）を基地局がＵＥに送信するステップを含んでもよい。たとえば、基地局は、ブロードキャスト信号を用いてこの送信を行うことができる。この際、ブロードキャスト信号は、決定した順序それぞれを示すデータを含むシステム情報ブロック（ＳＩＢ）を用いてもよい。あるいは、基地局は、専用の信号を用いてこの送信を行うことができる。この際、専用の信号は、決定した順序それぞれを示すデータを含む無線リソース制御（Ｒａｄｉｏ  Ｒｅｓｏｕｒｃｅ  Ｃｏｎｔｒｏｌ：ＲＲＣ）メッセージまたはＰＤＣＣＨ（Ｐｈｙｓｉｃａｌ  Ｄｏｗｎｌｉｎｋ  Ｃｏｎｔｒｏｌ  Ｃｈａｎｎｅｌ）メッセージを送信してもよい。
【００４３】
追加の動作または別の動作の第２例として、方法５００は、否定応答（ＮＡＣＫ：Ｎｅｇａｔｉｖｅ  Ａｃｋｎｏｗｌｅｄｇｍｅｎｔ）メッセージおよび／または肯定応答（ＡＣＫ：Ａｃｋｎｏｗｌｅｄｇｍｅｎｔ）メッセージを基地局がＵＥに送信するステップを含んでもよい。たとえば、基地局は、ブロック５０８で実行される動作の後にＵＥにＮＡＣＫメッセージを送信してもよい。ブロック５０８では、第２の複数のＮＯＭＡレイヤを使ってトランスポートブロックの再送信を行うようＮＡＣＫメッセージがＵＥに要求する。また、基地局は、トランスポートブロックを正常に復号化した後にＵＥにＡＣＫメッセージを送信してもよい（たとえば、ブロック５１４で実行される動作の後、または、ブロック５０６の動作によってトランスポートブロックが正常に復号化された場合、方法５００は、終了する）。
【００４４】
図６は、多元接続ワイヤレス通信の一部としての様々な態様のトランスポートブロック通信に従ってＵＥによって実行される例示的な方法６００を示す図である。方法６００を、実行され得る動作を指定するブロック６０２〜６１０のセットで説明する。しかしながら、動作は、別の順序、完全にまたは一部が重複した状態、または繰り返して実施されてもよいため、これらの動作の順序は、図６に示す順序または本明細書に記載の順序に必ずしも限られない。方法６００によって表される動作は、たとえば、図１のＵＥ１１０によって実行されてもよく、図２〜図４の要素を用いて実行されてもよい。
【００４５】
ブロック６０２において、ＵＥ（たとえば、ＵＥ  ＴＢマネージャ２１６のコードを実行するＵＥ１１０のプロセッサ２１０）は、第１の複数のＮＯＭＡレイヤ（たとえば、図４のＮＯＭＡレイヤ４１１〜４１３）の第１順序（たとえば、シーケンス）を決定する。いくつかの場合、ＵＥは、ワイヤレス通信の仕様から第１の複数のＮＯＭＡレイヤの第１順序を決定する。その他の場合、ＵＥは、第１の複数のＮＯＭＡレイヤを含む時間リソースおよび周波数リソース（たとえば、図３のエアインターフェースリソース３０２の時間リソースおよび周波数リソース）の位置に基づいて第１順序を計算することによって、第１の複数のＮＯＭＡレイヤの第１順序を決定する。この計算は、時間リソースおよび周波数リソースの位置についての１つ以上のパラメータを含む数学関数に依拠し得る。
【００４６】
ブロック６０４において、ＵＥは、第１の複数のＮＯＭＡレイヤを使って基地局（たとえば、図１の基地局１２０）にトランスポートブロックを送信する（たとえば、ＵＥは、第１の複数のＮＯＭＡレイヤの異なるレイヤ間でトランスポートブロックに含まれるビットレベルのデータをマッピングする）。決定した第１順序に従って、ＵＥは、トランスポートブロックを搬送する第１の複数のＮＯＭＡレイヤを送信する。
【００４７】
ブロック６０６において、ＵＥは、否定応答（ＮＡＣＫ）メッセージを基地局から受信する。ブロック６０８において、ＮＡＣＫメッセージを受信することに応答して、ＵＥは、第２の複数のＮＯＭＡレイヤの第２順序を決定する。第２の複数のＮＯＭＡレイヤの第２順序を決定することは、ブロック６０２の一部として上述したような１つ以上の技術を含んでもよい（たとえば、ワイヤレス通信の仕様から第２順序を決定することを対象とする技術、および／または第２の複数のＮＯＭＡレイヤに含まれるリソースの時間位置および周波数位置に基づいて第２順序を計算することを対象とする技術）。
【００４８】
いくつかの場合、ブロック６０８において第２順序を決定するためにＵＥが使う技術は、ブロック６０２において第１順序を決定するためにＵＥが使う技術とは異なってもよい（たとえば、ブロック６０２において、ＵＥは、ワイヤレス通信の仕様から第１順序を決定してもよく、ブロック６０８において、ＵＥは、第２の複数のＮＯＭＡレイヤに関連する時間リソースおよび周波数リソースの位置に基づいて第２順序を計算することによって第２順序を決定してもよい）。第２の複数のＮＯＭＡレイヤは、一般に、異なる時間位置および周波数位置を有する第１の複数のＮＯＭＡレイヤとは異なるリソースを使う。
【００４９】
ブロック６１０において、ＵＥは、決定した第２順序に従う第２の複数のＮＯＭＡレイヤを用いてトランスポートブロックを再送信する（たとえば、ＵＥは、第２の複数のＮＯＭＡレイヤの異なるレイヤ間でトランスポートブロックに含まれるビットレベルのデータをマッピングする）。ＵＥは、第１の複数のＮＯＭＡレイヤを送信することに関連する別の時間間隔とは異なる時間間隔を用いて第２の複数のＮＯＭＡレイヤを再送信する。
【００５０】
特定の状況では、方法６００を、追加の動作または別の動作を含むように変更してもよい。追加の動作または別の動作の第１例として、方法６００は、第１の複数のＮＯＭＡレイヤの決定した第１順序（および／または第２の複数のＮＯＭＡレイヤの第２順序）をＵＥが基地局から受信するステップを含んでもよい。たとえば、ＵＥは、ブロードキャスト信号によってこの送信を受信してもよい。ブロードキャスト信号は、決定した順序それぞれを示すデータを含むシステム情報ブロック（ＳＩＢ）を用いてもよい。あるいは、ＵＥは、専用の信号によってこの送信を受信できる。専用の信号は、決定した順序それぞれを示すデータを含むＲＲＣ（Ｒａｄｉｏ  Ｒｅｓｏｕｒｃｅ  Ｃｏｎｔｒｏｌ）メッセージまたはＰＤＣＣＨ（Ｐｈｙｓｉｃａｌ  Ｄｏｗｎｌｉｎｋ  Ｃｏｎｔｒｏｌ  Ｃｈａｎｎｅｌ）メッセージを用いてよい。
【００５１】
追加の動作または別の動作の第２例として、方法６００は、ＵＥが基地局から肯定応答（ＡＣＫ）メッセージを受信するステップ含んでもよい。たとえば、ブロック６１０で実行される動作に従って基地局がトランスポートブロックを正常に復号化した場合、ＵＥは、基地局からＡＣＫメッセージを受信してもよい（または、動作６０４において基地局が第１の複数のＮＯＭＡレイヤからトランスポートブロックを正常に復号化した場合、方法６００は、終了する）。
【００５２】
第１および第２の複数のＮＯＭＡレイヤから１つのトランスポートブロックを復号化することを背景に上記技術およびシステムの例を説明したが、当該技術およびシステムは、追加の並び替え（ｐｅｒｍｕｔａｔｉｏｎ）を含むように拡張可能である。並び替えとして、基地局（たとえば、基地局トランスポートブロックマネージャ２６６の命令を実行するプロセッサ２６０の指示下の基地局１２０）が（第１の複数のＮＯＭＡレイヤによって搬送された）第１の送信ブロックおよび（第２の複数のＮＯＭＡレイヤによって搬送された）第２の送信ブロックを復号化する場合が挙げられる。たとえば、基地局は、第１のトランスポートブロックの送信および第２のトランスポートブロックの別の送信をＵＥ（たとえば、ＵＥ１１０）から受信してもよい。ここで、第１のトランスポートブロックは、第１の複数のＮＯＭＡレイヤによって搬送され、第２のトランスポートブロックは、第２の複数のＮＯＭＡレイヤによって搬送される。基地局は、第１順序に従って第１の複数のＮＯＭＡレイヤを組み合わせて第１の複数のＮＯＭＡレイヤから第１のトランスポートブロックを復号化してもよい。また、基地局は、第２順序に従って第２の複数のＮＯＭＡレイヤを組み合わせて第２の複数の非直交多元接続レイヤから第２のトランスポートブロックを復号化してもよい。
【００５３】
第１の並び替え例のいくつかの場合、基地局は、第１順序に従って第１の複数のＮＯＭＡレイヤを組み合わせて第１の複数のＮＯＭＡレイヤから第１のトランスポートブロックを復号化できなかったと判断し、これに応答して、ＵＥにＮＡＣＫメッセージを送信してもよい。同様に、第１の並び替え例の一部として、基地局は、第２順序に従って第２の複数のＮＯＭＡレイヤを組み合わせて第２の複数のＮＯＭＡレイヤから第２のトランスポートブロックを正常に復号化できたと判断し、これに応答して、ＵＥにＡＣＫメッセージを送信してもよい。
【００５４】
記載のシステムおよび技術が対応できる追加の並び替えは、一般に、１つのＮＯＭＡレイヤまたは複数のＮＯＭＡレイヤによってトランスポートブロックが搬送される場合の組合せを含む（たとえば、ＮＯＭＡレイヤの数は、ｉ＝１、２、３、４．．．Ｎによって規定される。ここで、ｉは、正の整数である）。これに加えて、１つのトランスポートブロックがあってもよいし、複数のトランスポートブロックがあってもよい（たとえば、トランスポートブロックの数は、ｎ＝１、２、３、４．．．Ｏによって規定される。ここで、ｎは、正の整数である）。また、基地局１２０が複数のＵＥ１１０の間の並び替え（ｐｅｒｍｕｔａｔｉｏｎ）をサポートすることも可能である。
【００５５】
信号および制御トランザクション
図７および図８は、多元接続ワイヤレス通信の一部としての様々な態様のトランスポートブロック通信に従う、基地局とＵＥとの間の例示的な信号および制御トランザクションの図である。この信号および制御トランザクションは、図１〜図４の要素を用いて図１の基地局１２０およびＵＥ１１０によって実行されてもよい。
【００５６】
信号および制御トランザクションの第１例を、図７の信号および制御トランザクションの図７００によって示す。図に示すように、７０５において、基地局１２０は、複数のＮＯＭＡレイヤの順序を決定する。たとえば、基地局１２０は、ワイヤレス通信の仕様から複数のＮＯＭＡレイヤの順序を決定してもよい。あるいは、基地局１２０は、第１の複数のＮＯＭＡレイヤの順序を、複数のＮＯＭＡレイヤに含まれる時間リソースおよび周波数リソースの位置に基づいて計算することによって決定してもよい。
【００５７】
７１０において、基地局は、決定した複数のＮＯＭＡレイヤの順序を含むシステム情報ブロック（ＳＩＢ）をＵＥ１１０に送信する。７１５において、決定した順序に従う複数のＮＯＭＡレイヤを用いて、ＵＥ１１０は、基地局１２０にトランスポートブロックを送信する。決定した順序に従う複数のＮＯＭＡレイヤを使ってトランスポートブロックを送信する際、ＵＥ１１０は、第１の複数のＮＯＭＡレイヤの異なるレイヤ間でビットレベルのデータを分散させる。
【００５８】
７２０において、基地局１２０は、決定した順序に従って複数のＮＯＭＡレイヤを組み合わせて複数のＮＯＭＡレイヤからトランスポートブロックを正常に復号化する。７２５において、トランスポートブロックを正常に復号化したことに応答して、基地局１２０は、ＵＥ１１０に肯定応答メッセージを送信する。
【００５９】
信号および制御トランザクションの第２例を、図８の信号およびトランザクション制御の図８００によって示す。図に示すように、８０５において、ＵＥ１１０は、第１の複数のＮＯＭＡレイヤの第１順序を決定する。たとえば、ＵＥ１１０は、ワイヤレス通信の仕様から第１の複数のＮＯＭＡレイヤの第１順序を決定してもよい。あるいは、ＵＥ１１０は、第１順序を、第１の複数のＮＯＭＡレイヤに含まれる時間リソースおよび周波数リソースの位置に基づいて計算することによって決定してもよい。８１０において、ＵＥ１１０は、第１の複数のＮＯＭＡレイヤを用いて基地局１２０にトランスポートブロックを送信する。この送信には、決定した第１順序に従ってＵＥ１１０が第１の複数のＮＯＭＡレイヤを送信することが含まれる。ここで、ＵＥ１１０は、第１の複数のＮＯＭＡレイヤの異なるレイヤ間でビットレベルのデータを分散させる。
【００６０】
８１５において、基地局１２０は、第１の複数のＮＯＭＡレイヤからトランスポートブロックを復号化することに失敗する。基地局１２０は、いくつかの理由でトランスポートブロックの復号化に失敗する場合がある。ＵＥ１１０によって決定された第１順序とは異なる順序に従って送信されるトランスポートブロックを基地局１２０が想定している場合などが挙げられる（たとえば、第１順序を決定するためにＵＥ１１０が使うワイヤレス通信の仕様が旧式である可能性があり、ＵＥ１１０が計算に使う時間リソースおよび周波数リソースの位置が基地局１２０による時間リソースおよび周波数リソースの別のＵＥへの割り当てと競合している可能性がある、など）。
【００６１】
８２０において、基地局は、第２の複数のＮＯＭＡレイヤの第２順序を決定する（たとえば、決定した第２順序は、現在のワイヤレス通信の仕様、基地局１２０による時間リソースおよび周波数リソースの割り当てに準拠した計算などに基づいてもよい。）。８２５において、基地局１２０は、ＵＥ１１０に否定応答（ＮＡＣＫ）メッセージを送信する。ＮＡＣＫメッセージは、ＵＥ１１０に、第２の複数のＮＯＭＡレイヤを使って、決定した第２順序に従ってトランスポートブロックを送信（たとえば、再送信）することを求める要求を含む、いくつかの態様を含み得る。
【００６２】
８３０において、第２の複数のＮＯＭＡレイヤを用いて、ＵＥ１１０は、基地局１２０にトランスポートブロックを送信する。この送信には、ＵＥ１１０が決定した第２順序に従って第２の複数のＮＯＭＡレイヤを送信することが含まれる。ここで、ＵＥ１１０は、第２の複数のＮＯＭＡレイヤの異なるレイヤ間でビットレベルのデータを分散させる。８３５において、基地局１２０は、決定した第２順序に従って第２の複数のＮＯＭＡレイヤを組み合わせてトランスポートブロックを正常に復号化する。
【００６３】
一般に、図７および図８の例示的な信号および制御トランザクションを繰り返して、追加のＮＯＭＡレイヤ、トランスポートブロックなどに関する追加の信号および制御トランザクションに対応してもよい。また、例示的な信号および制御トランザクションは、複数のＮＯＭＡレイヤそれぞれからそれぞれの送信ブロックが正常に符号化された際の、基地局１２０からＵＥ１１０への肯定応答（ＡＣＫ）メッセージの送信を含んでもよい。
【００６４】
以下、いくつかの例を説明する。
例１：基地局によって実行される方法であって、基地局が、第１の複数の非直交多元接続レイヤの第１順序を決定するステップと、基地局が、ユーザ機器からトランスポートブロックの送信を受信するステップとを含み、送信は、第１の複数の非直交多元接続レイヤを使用し、当該方法は、さらに、基地局が、決定した第１順序に従って第１の複数の非直交多元接続レイヤを組み合わせるステップと、基地局が、決定した第１順序に従って第１の複数の非直交多元接続レイヤを組み合わせるステップが第１の複数の非直交多元接続レイヤからトランスポートブロックを復号化できなかったと判断するステップと、基地局が、第２の複数の非直交多元接続レイヤの第２順序を決定するステップと、基地局が、ユーザ機器からトランスポートブロックの再送信を受信するステップとを含み、再送信は、第２の複数の非直交多元接続レイヤを使用し、当該方法は、さらに、基地局が、決定した第２順序に従って第２の複数の非直交多元接続レイヤを組み合わせて第２の複数の非直交多元接続レイヤからトランスポートブロックを復号化するステップを含む、方法。
【００６５】
例２：第１の複数の非直交多元接続レイヤの第１順序を決定するステップは、ワイヤレス通信の仕様から第１順序を決定するステップを含む、例１に記載の方法。
【００６６】
例３：第１の複数の非直交多元接続レイヤの第１順序を決定するステップは、第１の複数の非直交多元接続レイヤを構成する時間リソースおよび周波数リソースの位置に基づいて第１順序を計算するステップを含む、例１に記載の方法。
【００６７】
例４：第２の複数の非直交多元接続レイヤの第２順序を決定するステップは、ワイヤレス通信の仕様から第２順序を決定するステップを含む、例１〜３のいずれか１つに記載の方法。
【００６８】
例５：第２の複数の非直交多元接続レイヤの第２順序を決定するステップは、第２の複数の非直交多元接続レイヤを構成する時間リソースおよび周波数リソースの位置に基づいて第２順序を計算することを含む、例１〜３のいずれか１つに記載の方法。
【００６９】
例６：基地局がブロードキャスト信号を用いてユーザ機器に決定した第１順序を送信するステップをさらに含む、例１〜５のいずれか１つに記載の方法。
【００７０】
例７：ブロードキャスト信号は、決定した第１順序を、決定した第１順序を示すデータを含むシステム情報ブロックによって送信する、例６に記載の方法。
【００７１】
例８：基地局が専用の信号を用いてユーザ機器に決定した第１順序を送信するステップをさらに含む、例１〜５のいずれか１つに記載の方法。
【００７２】
例９：専用の信号は、決定した第１順序を、決定した第１順序を示すデータを含む無線リソース制御メッセージを通して送信する、例８に記載の方法。
【００７３】
例１０：決定した第１順序に従って第１の複数の非直交多元接続レイヤを組み合わせるステップが第１の複数の非直交多元接続レイヤからトランスポートブロックを復号化できなかったと判断するステップに応答して、基地局が否定応答メッセージを送信するステップをさらに含む、先行する例のいずれか１つに記載の方法。
【００７４】
例１１：ユーザ機器によって実行される方法であって、ユーザ機器が、第１の複数の非直交多元接続レイヤの第１順序を決定するステップと、ユーザ機器が、基地局にトランスポートブロックを送信するステップとを含み、送信するステップは、決定した第１順序に従う第１の複数の非直交多元接続レイヤを使用し、当該方法は、さらに、ユーザ機器が、基地局が第１の複数の非直交多元接続レイヤからトランスポートブロックを復号化できなかったことを示す否定応答メッセージを基地局から受信するステップと、否定応答メッセージを受信するステップに応答して、ユーザ機器が、第２の複数の非直交多元接続レイヤの第２順序を決定するステップと、ユーザ機器が、基地局にトランスポートブロックを再送信するステップとを含み、再送信するステップは、決定した第２順序に従う第２の複数の非直交多元接続レイヤを使用する、方法。
【００７５】
例１２：第２の複数の多元接続レイヤの第２順序を決定するステップは、基地局から送信されるブロードキャスト信号によってユーザ機器が受信するシステム情報ブロックに含まれるデータから第２順序を決定するステップを含む、例１１に記載の方法。
【００７６】
例１３：第１の複数の非直交多元接続レイヤの第１順序を決定するステップは、ユーザ機器が基地局から受信する無線リソース制御メッセージに含まれるデータから第１順序を決定するステップを含む、例１１または１２に記載の方法。
【００７７】
例１４：基地局であって、プロセッサと、ワイヤレストランシーバと、トランスポートブロックマネージャを実装するための命令を含むコンピュータ読み取り可能な記憶媒体とを備え、トランスポートブロックマネージャは、ワイヤレストランシーバを通してユーザ機器から、第１の複数の非直交多元接続レイヤによって搬送される第１のトランスポートブロックの送信と、第２の複数の非直交多元接続レイヤによって搬送される第２のトランスポートブロックの別の送信とを受信し、第１順序に従って第１の複数の非直交多元接続レイヤを組み合わせて第１の複数の非直交多元接続レイヤから第１のトランスポートブロックを復号化し、第２順序に従って第２の複数の非直交多元接続レイヤを組み合わせて第２の複数の非直交多元接続レイヤから第２のトランスポートブロックを復号化するよう、基地局に指示するように構成される、基地局。
【００７８】
例１５：トランスポートブロックマネージャは、第１順序に従って第１の複数の非直交多元接続レイヤを組み合わせて第１の複数の非直交多元接続レイヤから第１のトランスポートブロックを復号化できなかったと判断し、これに応答して、ワイヤレストランシーバを通してユーザ機器に否定応答メッセージを送信し、第２順序に従って第２の複数の非直交多元接続レイヤを組み合わせて第２の複数の非直交多元接続レイヤから第２のトランスポートブロックを正常に復号化したと判断し、これに応答して、ワイヤレストランシーバを通してユーザ機器に肯定応答メッセージを送信するよう、基地局を指示するようにさらに構成される、例１４に記載の基地局。
【図１】
2021528880.tif 000003
【図２】
2021528880.tif 000004
【図３】
2021528880.tif 000005
【図４】
2021528880.tif 000006
【図５】
2021528880.tif 000007
【図６】
2021528880.tif 000008
【図７】
2021528880.tif 000009
【図８】
2021528880.tif 000010
【国際調査報告】
2021528880.tif 000011
2021528880.tif 000012
2021528880.tif 000013